(57)【要約】      （修正有）【課題】アクセサリをレンズ鏡筒と同軸上になるように高い精度で取り付けることができるカメラを提供する。【解決手段】レンズ鏡筒１１は、カメラ本体２１を構成するためのシャーシ１３を貫通し、シャーシ１３と固定されている。レンズ鏡筒１１には、シャーシ１３の裏側から表側へ向けてレンズ鏡筒１１と平行に突出する位置決め用凸部が設けられている。この位置決め用凸部は、シャーシ１３に設けられた位置決め用孔にシャーシ１３の裏側から挿入され、嵌合される。アクセサリ取り付け部材１２は、シャーシ１３と固定されている。アクセサリ取り付け部材１２には、シャーシ１３の位置決め用孔に対向する位置決め用孔が設けられている。位置決め用孔には、レンズ鏡筒１１の位置決め用凸部の先端部が嵌合する。【選択図】図２
2008058905.tif 000002
【特許請求の範囲】
【請求項１】
カメラ本体の少なくとも一部を構成する基体と、
前記基体に固定されるレンズ鏡筒と、
アクセサリが前記レンズ鏡筒と同軸上にかつ前記レンズ鏡筒の外周側に配置されるように該アクセサリを取り付けるためのアクセサリ取り付け部材とを備え、
前記レンズ鏡筒には、第１の係合部が設けられ、
前記アクセサリ取り付け部材には、前記レンズ鏡筒の前記第１の係合部と係合する第２の係合部が設けられ、
前記アクセサリ取り付け部材は、前記基体に固定されるとともに、前記第２の係合部が前記第１の係合部と係合することにより、前記レンズ鏡筒に対して位置決めされることを特徴とするカメラ。
【請求項２】
前記基体には、前記レンズ鏡筒の前記第１の係合部と係合する第３の係合部が設けられ、
前記アクセサリ取り付け部材の前記第２の係合部は、前記基体の前記第３の係合部を介して前記レンズ鏡筒の前記第１の係合部と係合することを特徴とする請求項１に記載のカメラ。
【請求項３】
前記レンズ鏡筒の前記第１の係合部は、該レンズ鏡筒と平行に突出する凸部からなり、
前記アクセサリ取り付け部材の前記第２の係合部は、前記レンズ鏡筒の第１の係合部と対向するように配置された孔からなり、
前記基体の前記第３の係合部は、前記アクセサリ取り付け部材の前記第２の係合部と対向するように配置された孔からなり、
前記レンズ鏡筒の前記第１の係合部は、前記基体の前記第３の係合部を経て前記アクセサリ取り付け部材の前記第２の係合部に嵌合することを特徴とする請求項２に記載のカメラ。
【請求項４】
前記アクセサリ取り付け部材は、リング状部材からなり、前記第２の係合部と前記第１の係合部との係合により、前記レンズ鏡筒に対して同軸上になるように位置決めされることを特徴とする請求項１ないし３のいずれか１つに記載のカメラ。
【請求項５】
アクセサリをレンズ鏡筒と同軸上にかつ前記レンズ鏡筒の外周側に配置されるように取り付けるためのアクセサリ取り付け部材の取り付け構造であって、
前記レンズ鏡筒は、カメラ本体の少なくとも一部を構成する基体に固定され、
前記レンズ鏡筒には、第１の係合部が設けられ、
前記アクセサリ取り付け部材には、前記レンズ鏡筒の前記第１の係合部と係合する第２の係合部が設けられ、
前記アクセサリ取り付け部材は、前記基体に固定されるとともに、前記第２の係合部が前記第１の係合部と係合することにより、前記レンズ鏡筒に対して位置決めされることを特徴とするアクセサリ取り付け部材の取り付け構造。
【発明の詳細な説明】
【技術分野】
【０００１】
本発明は、レンズ鏡筒と同軸上にアクセサリを取り付けるためのアクセサリ取り付け部材を有する、デジタルカメラ、銀塩カメラ、ビデオカメラなどのカメラおよびアクセサリ取り付け部材の取り付け構造に関する。
【背景技術】
【０００２】
デジタルカメラ、銀塩カメラ、ビデオカメラなどのカメラとして、ワイドコンバータレンズ、テレコンバータレンズ、光学フィルタなどのアクセサリを取り付け可能なものがある。このようなカメラの本体には、アクセサリをレンズ鏡筒と同軸上に取り付けるためのアクセサリ取り付け部が設けられている。
【０００３】
ここで、アクセサリ取り付け部には、アクセサリがレンズ鏡筒と同軸上になるように、レンズ鏡筒に対してアクセサリを高い精度で位置決めすることが要求される。
【０００４】
また、レンズ鏡筒が沈胴式のものである場合、レンズ鏡筒がアクセサリの内側を移動するので、このレンズ鏡筒の移動中にレンズ鏡筒とアクセサリが接触しないように、レンズ鏡筒に対してアクセサリを位置決めする必要がある。よって、沈胴式のレンズ鏡筒の場合、アクセサリ取り付け部には、アクセサリがレンズ鏡筒と同軸上になり、かつ移動するレンズ鏡筒がアクセサリに対して接触しないような高い精度で、レンズ鏡筒に対してアクセサリを位置決めすることが要求される。
【０００５】
また、アクセサリは、カメラ本体に対して突出した形態でアクセサリ取り付け部に取り付けられるので、アクセサリに外力が加えられると、アクセサリ取り付け部には大きな力が作用する。そのため、このアクセサリ取り付け部には、高い剛性が要求される。
【０００６】
このようなアクセサリ取り付け部として、例えばカメラ本体の外装で構成されるものがある（例えば特許文献１参照）。
【０００７】
また、アクセサリ取り付け部として、図５に示すような構成のものがある。図５は従来のアクセサリ取り付け部材を有するカメラを部分的に破断して示す斜視図である。
【０００８】
図５に示すような構成のアクセサリ取り付け部材を有するカメラにおいては、レンズ鏡筒５１が、シャーシ５２の背面側からシャーシ５２とビスにより締結され、固定される。また、アクセサリ（図示せず）をレンズ鏡筒５１と同軸上に取り付けるためのアクセサリ取り付け部材５３が設けられている。アクセサリ取り付け部材５３は、シャーシ５２に形成されたアクセサリ取り付け部材用固定部５２ａにビスにより締結され、固定される。このアクセサリ取り付け部材用固定部５２ａは、シャーシ５２の一部が前面側へ折り曲げられて形成されたものである。
【０００９】
ここで、レンズ鏡筒５１は、シャーシ５２に対して、その背面側に形成された位置決め部位によって位置決めされる。また、アクセサリ取り付け部材５３は、シャーシ５２に対して、アクセサリ取り付け部材用固定部５２ａの位置決め部位によって位置決めされる。
【特許文献１】特開２０００−３３０１７９号公報
【発明の開示】
【発明が解決しようとする課題】
【００１０】
しかしながら、上述した外装から構成されているアクセサリ取り付け部の場合、外装に対してレンズ鏡筒が直接位置決めされないので、アクセサリ取り付け部に取り付けられたアクセサリがレンズ鏡筒と同軸上にないような、位置ずれが発生し易い。また、アクセサリ取り付け部が外装から構成されているので、アクセサリ取り付け部の剛性を高くすることは難しい。その結果、アクセサリに外力が加えられた際にアクセサリ取り付け部に作用する力により、アクセサリ取り付け部が変形し易く、アクセサリ取り付け部に取り付けられたアクセサリがレンズ鏡筒と同軸上に位置決めされないことがある。
【００１１】
また、図５に示す構成のアクセサリ取り付け部材５３の場合、レンズ鏡筒５１とアクセサリ取り付け部材５３のそれぞれが同じ位置決め部位によって位置決めされないので、アクセサリ取り付け部材５３とレンズ鏡筒５１と間に位置ずれが生じ易い。その結果、アクセサリ取り付け部材５３に取り付けられたアクセサリがレンズ鏡筒５１と同軸上に位置決めされないことがある。また、アクセサリ取り付け部材５３が固定されるアクセサリ取り付け材部用固定部５２ａは、シャーシ５２の一部を折り曲げて形成されたものであるので、アクセサリに大きな外力が加えられた場合に、変形し易い。その結果、アクセサリ取り付け部材５３に取り付けられたアクセサリがレンズ鏡筒５１と同軸上に位置決めされないことがある。
【００１２】
本発明の目的は、アクセサリをレンズ鏡筒と同軸上になるように高い精度で取り付けることができるカメラおよびアクセサリ取り付け部材の取り付け構造を提供することにある。
【課題を解決するための手段】
【００１３】
本発明は、上記目的を達成するため、カメラ本体の少なくとも一部を構成する基体と、前記基体を貫通して該基体に固定されるレンズ鏡筒と、アクセサリが前記レンズ鏡筒と同軸上にかつ前記レンズ鏡筒の外周側に配置されるように該アクセサリを取り付けるためのアクセサリ取り付け部材とを備え、前記レンズ鏡筒には、第１の係合部が設けられ、前記アクセサリ取り付け部材には、前記レンズ鏡筒の前記第１の係合部と係合する第２の係合部が設けられ、前記アクセサリ取り付け部材は、前記基体に固定されるとともに、前記第２の係合部が前記第１の係合部と係合することにより、前記レンズ鏡筒に対して位置決めされることを特徴とするカメラを提供する。
【００１４】
また、本発明は、上記目的を達成するため、アクセサリをレンズ鏡筒と同軸上にかつ前記レンズ鏡筒の外周側に配置されるように取り付けるためのアクセサリ取り付け部材の取り付け構造であって、前記レンズ鏡筒は、カメラ本体の少なくとも一部を構成する基体を貫通して該基体に固定され、前記レンズ鏡筒には、第１の係合部が設けられ、前記アクセサリ取り付け部材には、前記レンズ鏡筒の前記第１の係合部と係合する第２の係合部が設けられ、前記アクセサリ取り付け部材は、前記基体に固定されるとともに、前記第２の係合部が前記第１の係合部と係合することにより、前記レンズ鏡筒に対して位置決めされることを特徴とするアクセサリ取り付け部材の取り付け構造を提供する。
【発明の効果】
【００１５】
本発明によれば、アクセサリをレンズ鏡筒と同軸上になるように高い精度で取り付けることができる。
【発明を実施するための最良の形態】
【００１６】
以下、本発明の実施の形態について図面を参照しながら説明する。
【００１７】
図１は本発明の一実施の形態に係るカメラの外観を示す斜視図である。図２は図１のカメラの外装を取り外した状態での内部構成を示す斜視図である。図３は図２のカメラのアクセサリ取り付け部材を取り外した状態でのレンズ鏡筒とシャーシとの係合部を拡大して示す斜視図である。図４は図２のカメラのアクセサリ取り付け部材とレンズ鏡筒との係合部を拡大して示す斜視図である。
【００１８】
カメラは、図１に示すように、カメラ本体２１を備える。カメラ本体２１には、沈胴式のレンズ鏡筒１１が装着されている。また、カメラ本体２１には、リング状のアクセサリキャップ２３が、レンズ鏡筒１１と同軸上になるように、後述するリング形状のアクセサリ取り付け部材１２（図２）とバヨネット機構により締結されている。このアクセサリキャップ２３は、アクセサリ取り付け部材１２を覆うためのキャップである。このアクセサリキャップ２３は、ユーザによりロック解除ボタン２４が押下されると、アクセサリ取り付け部材１２から取り外すことが可能である。具体的には、ユーザによりロック解除ボタン２４が押下されると、アクセサリキャップ２３を反時計周り方向へ回転することが可能になる。そして、ユーザにより、アクセサリキャップ２３が反時計周り方向へ回転されると、アクセサリキャップ２３とアクセサリ取り付け部材１２のバヨネット機構との締結が解除され、アクセサリキャップ２３がアクセサリ取り付け部材１２から取り外される。このアクセサリキャップ２３がカメラ本体２１から取り外されると、アクセサリ取り付け部材１２が外部に露出し、このアクセサリ取り付け部材１２にアクセサリ（図示せず）を取り付けることが可能になる。このアクセサリとしては、例えばワイドコンバータレンズ、テレコンバータレンズ、光学フィルタなどがある。また、アクセサリキャップ２３も、アクセサリの一部に含まれるものである。
【００１９】
上記アクセサリは、アクセサリ取り付け部１２とバヨネット機構により締結可能に構成されている。このアクセサリを取り付ける際には、アクセサリがアクセサリ取り付け部１２へ対して押し込まれ、時計周り方向へ回転される。これにより、アクセサリはアクセサリ取り付け部材１２とバヨネット機構により締結され、レンズ鏡筒１１と同軸上になるようにアクセサリ取り付け部材１２に取り付けられる。
【００２０】
レンズ鏡筒１１は、図２に示すように、カメラ本体２１を構成するためのシャーシ１３を貫通し、シャーシ１３とその裏面側からビスにより締結されて固定される。ここで、シャーシ１３は、高い剛性を有する金属板から形成されている。レンズ鏡筒１１には、図３に示すように、シャーシ１３の裏面側からレンズ鏡筒１１と平行に突出する位置決め用凸部１１ａが設けられている。この位置決め用凸部１１ａは、シャーシ１３に設けられた位置決め用孔１３ａにシャーシ１３の裏面側から挿入され、嵌合される。これにより、レンズ鏡筒１１は、シャーシ１３に対して位置決めされる。この際、位置決め用凸部１１ａの先端部は、シャーシ１３の表面から突出する。
【００２１】
また、ここでいう「貫通」とは、完全に穴が開いているものに限らず、例えば、Ｃの字型に開いているところに位置決めされ、レンズ鏡筒が固定されているものでもよい。
【００２２】
アクセサリ取り付け部材１２は、図２に示すように、シャーシ１３とその表面側からビスにより締結されて固定される。アクセサリ取り付け部材１２には、図４に示すように、位置決め用孔１２ａが設けられている。アクセサリ取り付け部材１２は、位置決め用孔１２ａがシャーシ１３の位置決め用孔１３ａに対向するように配置され、位置決め用孔１２ａには、レンズ鏡筒１１の位置決め用凸部１１ａの先端部が嵌合する。これにより、アクセサリ取り付け部材１２は、レンズ鏡筒１１と同軸上になるように位置決めされる。
【００２３】
このように、レンズ鏡筒１１に設けられた位置決め用凸部１１ａがシャーシ１３の位置決め用孔１３ａおよびアクセサリ取り付け部材１２の位置決め用孔１２ａに嵌合する。すなわち、レンズ鏡筒１１とアクセサリ取り付け部材１２の位置決めがそれぞれ同一部材で行われるので、アクセサリ取り付け部材１２をレンズ鏡筒１１と同軸上になるように高い精度で位置決めすることができる。その結果、アクセサリ取り付け部材１２は、アクセサリをレンズ鏡筒１１と同軸上になるように高い精度で取り付けることができる。
【００２４】
また、アクセサリ取り付け部材１２は、高剛性を有する金属板からなるシャーシ１３に固定されている。これにより、アクセサリ取り付け部材１２に取り付けられたアクセサリに対して外力が加えられた際に、この外力により作用する力でシャーシ１３またはアクセサリ取り付け部材１２は容易に変形することはない。また、同様に、レンズ鏡筒１１は、シャーシ１３に固定されている。これにより、レンズ鏡筒１１に対して外力が加えられた際に、この外力により作用する力でシャーシ１３は容易に変形することはない。その結果、アクセサリ取り付け部材１２（すなわちアクセサリ）とレンズ鏡筒１１の間の位置ずれが生じ難い構造を得ることができる。
【図面の簡単な説明】
【００２５】
【図１】本発明の一実施の形態に係るカメラの外観を示す斜視図である。
【図２】図１のカメラの外装を取り外した状態での内部構成を示す斜視図である。
【図３】図２のカメラのアクセサリ取り付け部材を取り外した状態でのレンズ鏡筒とシャーシとの係合部を拡大して示す斜視図である。
【図４】図２のカメラのアクセサリ取り付け部材とレンズ鏡筒との係合部を拡大して示す斜視図である。
【図５】従来のアクセサリ取り付け部材を有するカメラを部分的に破断して示す斜視図である。
【符号の説明】
【００２６】
１１  レンズ鏡筒
１１ａ  位置決め用凸部
１２  アクセサリ取り付け部材
１２ａ，１３ａ  位置決め用孔
１３  シャーシ
２１  カメラ本体
２３  アクセサリキャップ
【図１】
2008058905.tif 000003
【図２】
2008058905.tif 000004
【図３】
2008058905.tif 000005
【図４】
2008058905.tif 000006
【図５】
2008058905.tif 000007